Podtech/llm-jp-corpus-v4-ja_patent huggingface dataset:
【手続補正書】
【提出日】平成17年6月3日(2005.6.3)
【手続補正１】
【補正対象書類名】特許請求の範囲
【補正対象項目名】全文
【補正方法】変更
【補正の内容】
【特許請求の範囲】
【請求項１】
少なくとも１種の連続の合成エラストマーフィラメントと、複数の嵩高加工した連続の耐切断性フィラメントとを含む耐切断性糸であって、前記複数の嵩高加工した連続の耐切断性フィラメントが前記糸中にランダムに絡み合ったループ構造を有することを特徴とする耐切断性糸。
【請求項２】
請求項１に記載の耐切断性糸を含むことを特徴とする布。
【請求項３】
請求項１に記載の糸を含むことを特徴とする手袋。
【請求項４】
少なくとも１種の連続の合成エラストマーフィラメントと複数の嵩高加工した連続の耐切断性フィラメントとを含む耐切断性糸の製造方法であって、前記複数の嵩高加工した連続の耐切断性フィラメントが前記糸中にランダムに絡み合ったループ構造を有し、
ａ）張力下の少なくとも１種の連続の合成エラストマーフィラメントと複数の連続の耐切断性フィラメントとを組み合わせて、前記エラストマーフィラメントが張力を受ける混繊糸を形成する工程と、
ｂ）糸の単位長さ当たり３０％以下の速度で前記混繊糸を流体ジェットにオーバーフィードする工程と、
ｃ）前記混繊糸中の前記複数の連続の耐切断性フィラメントを流体で嵩高加工して、前記糸中にランダムに絡み合ったループ構造を作り出す工程と
を含むことを特徴とする耐切断性糸の製造方法。
【請求項５】
ａ）強度と回復能力とを有し、少なくとも１種の連続の合成エラストマーフィラメントと複数の嵩高加工した連続の耐切断性フィラメントとを含む耐切断性糸から手袋を編むまたは織る工程と、
ｂ）前記手袋の前記少なくとも１種のエラストマーフィラメントをヒートセットする工程と、
ｃ）前記手袋をコーティングする工程と、
ｄ）前記手袋上に配置された前記コーティングを硬化させる工程と
を含むことを特徴とする手袋の製造方法。
【手続補正２】
【補正対象書類名】明細書
【補正対象項目名】００３２
【補正方法】変更
【補正の内容】
【００３２】
標準のセイマセイキ（Ｓｈｅｉｍａ  Ｓｅｉｋｉ）１３ゲージ手袋編機を用いて２つの１４％オーバーフィード糸から１０オンス／ヤード2（約０．３４ｋｇ／ｍ2）の布重量を有する手袋サンプルを編んだ。手袋サンプルを４セットへ分割し、１７５℃（３５０°Ｆ）の温度で０．５、１．０、１．５および２．０分間ヒートセットして、手袋形状をセットした。手袋を０．５と１．５分との間ヒートセットした時に、最適な手袋形状セッティングが達成されることが分かった。すべての手袋サンプルが良好な形状フィッティング性と柔軟性とを示したが、１４％オーバーフィード糸とスパンデックスへの１０グラムの張力とで製造した手袋サンプルがより滑らかな手袋を与えることが観察された。次に手袋サンプルをハンドフォーム上へかぶせ、アニオン性脂肪族ポリエステルポリウレタン分散系のポリウレタン浴中へ浸漬して手袋をコーティングした。次にコーティングした手袋をオーブン中約１３５℃で約１５分間硬化させた。得られたコーティングした手袋は嵌め心地がよく、うまくフィットし、かつ、高程度の柔軟性を有した。
以下に、本発明の好ましい態様を示す。
１．  少なくとも１種の連続の合成エラストマーフィラメントと、複数の嵩高加工した連続の耐切断性フィラメントとを含む耐切断性糸であって、前記複数の嵩高加工した連続の耐切断性フィラメントが前記糸中にランダムに絡み合ったループ構造を有することを特徴とする耐切断性糸。
２．  前記少なくとも１種の連続の合成エラストマーフィラメントがポリウレタンフィラメント、ゴムおよびそれらの組合せからなる群から選択され、かつ、前記複数の嵩高加工した連続の耐切断性フィラメントが芳香族ポリアミド、高分子量ポリエチレン、高分子量ポリオレフィン、高分子量ポリビニルアルコール、高分子量ポリアクリロニトリル、液晶ポリエステルおよびそれらの組合せからなる群から選択されることを特徴とする１．に記載の耐切断性糸。
３．  前記少なくとも１種の連続の合成エラストマーフィラメントを多くても約３０％含むことを特徴とする１．に記載の耐切断性糸。
４．  前記複数の嵩高加工した連続の耐切断性フィラメントを少なくとも約７０％含むことを特徴とする１．に記載の耐切断性糸。
５．  前記少なくとも１種の連続の合成エラストマーフィラメントと前記連続の耐切断性フィラメントとを含む前記嵩高加工した糸が、約７０〜約２８００デニールの範囲にあることを特徴とする１．に記載の耐切断性糸。
６．  前記嵩高加工した糸が、約２００〜約８００デニールの範囲にあることを特徴とする５．に記載の耐切断性糸。
７．  前記少なくとも１種の連続の合成エラストマーフィラメントが、約２０〜約２００デニールの範囲にあることを特徴とする１．に記載の耐切断性糸。
８．  前記少なくとも１種の連続の合成エラストマーフィラメントが、フィラメント当たり約１００〜約１５０デニールであることを特徴とする７．に記載の耐切断性糸。
９．  前記複数の嵩高加工した連続の耐切断性フィラメントが、フィラメント当たり約０．８５〜約２．０デニールの範囲にあることを特徴とする６．に記載の耐切断性糸。
１０．  １．に記載の耐切断性糸を含むことを特徴とする布。
１１．  コーティングをさらに含むことを特徴とする１０．に記載の布。
１２．  前記コーティングがポリウレタンおよびポリニトリルからなる群から選択されることを特徴とする１１．に記載の布。
１３．  約３〜約２０オンス／ヤード2（約１０１．７〜約６７８．１ｇ／ｍ2）の重量を有することを特徴とする１０．に記載の布。
１４．  編まれることを特徴とする１０．に記載の布。
１５．  １．に記載の糸を含むことを特徴とする手袋。
１６．  コーティングをさらに含むことを特徴とする１５．に記載の手袋。
１７．  少なくとも１種の連続の合成エラストマーフィラメントと複数の嵩高加工した連続の耐切断性フィラメントとを含む耐切断性糸の製造方法であって、前記複数の嵩高加工した連続の耐切断性フィラメントが前記糸中にランダムに絡み合ったループ構造を有し、
ａ）張力下の少なくとも１種の連続の合成エラストマーフィラメントと複数の連続の耐切断性フィラメントとを組み合わせて、前記エラストマーフィラメントが張力を受ける混繊糸を形成する工程と、
ｂ）糸の単位長さ当たり３０％以下の速度で前記混繊糸を流体ジェットにオーバーフィードする工程と、
ｃ）前記混繊糸中の前記複数の連続の耐切断性フィラメントを流体で嵩高加工して、前記糸中にランダムに絡み合ったループ構造を作り出す工程と
を含むことを特徴とする耐切断性糸の製造方法。
１８．  前記オーバーフィードが、前記糸の単位長さ当たり約５〜約２０％であることを特徴とする１７．に記載の方法。
１９．  前記張力が約５〜約３０グラムであることを特徴とする１７．に記載の方法。
２０．  ａ）強度と回復能力とを有し、少なくとも１種の連続の合成エラストマーフィラメントと複数の嵩高加工した連続の耐切断性フィラメントとを含む耐切断性糸から手袋を編むまたは織る工程と、
ｂ）前記手袋の前記少なくとも１種のエラストマーフィラメントをヒートセットする工程と、
ｃ）前記手袋をコーティングする工程と、
ｄ）前記手袋上に配置された前記コーティングを硬化させる工程と
を含むことを特徴とする手袋の製造方法。
【手続補正書】
【提出日】平成17年6月21日(2005.6.21)
【手続補正１】
【補正対象書類名】特許請求の範囲
【補正対象項目名】全文
【補正方法】変更
【補正の内容】
【特許請求の範囲】
【請求項１】
オメガ鎖末端に環構造を有する１５−ケト−プロスタグランジン化合物を一眼一回投与あたり５μｇを越え５０μｇ未満の量で含む哺乳類対象の高眼圧症および緑内障の処置のための眼科用組成物。
【請求項２】
１５−ケト−プロスタグランジン化合物が、下記一般式（Ｉ）で表される化合物である、請求項１記載の組成物：
【化２】
2004538306.tif 000001
［式中、Ｗ１、Ｗ２およびＷ３は炭素原子あるいは酸素原子、
Ｌ、ＭおよびＮは、水素、ヒドロキシ、ハロゲン、低級アルキル、ヒドロキシ（低級）アルキルまたはオキソ（ただし、ＬおよびＭの基のうちの少なくとも１つは、水素以外の基であり、５員環は少なくとも１つの二重結合を有していてもよい）；
Ａは、−ＣＨ２ＯＨ、−ＣＯＣＨ２ＯＨ、−ＣＯＯＨまたはそれらの官能性誘導体；
Ｂは、−ＣＨ２−ＣＨ２−、−ＣＨ＝ＣＨ−または−Ｃ≡Ｃ−；
Ｒ１は、非置換またはハロゲン、アルキル、ヒドロキシ、オキソ、アリールまたは複素環で置換された、二価の飽和または不飽和の低〜中級の脂肪族炭化水素残基；
Ｒａは、末端がシクロ（低級）アルキル基；シクロ（低級）アルキルオキシ基；アリール基；アリールオキシ基；複素環基；複素環オキシ基で置換された飽和または不飽和の低〜中級脂肪族炭化水素残基］。
【請求項３】
１５−ケト−プロスタグランジン化合物が１３，１４−ジヒドロ−１５−ケト−プロスタグランジン化合物である、請求項１記載の組成物。
【請求項４】
１５−ケト−プロスタグランジン化合物が１３，１４−ジヒドロ−１５−ケト−１７−フェニル−１８，１９，２０−トリノール−プロスタグランジン化合物である、請求項１記載の組成物。
【請求項５】
一眼一回投与あたり５μｇを越え３０μｇ未満の用量である、請求項１から４のいずれかに記載の組成物。
【請求項６】
一眼一回投与あたり５μｇを越え１５μｇ未満の用量である、請求項５に記載の組成物。
【請求項７】
眼科用組成物が点眼剤組成物である、請求項１から６のいずれかに記載の組成物。
【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
以下の式Ｉの化合物であって：
【化１】
2004538314.tif 000001
ここで、Ｙは、Ｆ、Ｃｌ、Ｂｒ、メチルもしくはメトキシである化合物、またはそれらの薬学的に受容可能な塩。
【請求項２】
ＹがＦである、請求項１に記載の化合物。
【請求項３】
ＹがＣｌである、請求項１に記載の化合物。
【請求項４】
ＹがＢｒである、請求項１に記載の化合物。
【請求項５】
Ｙが−ＯＭｅである、請求項１に記載の化合物。
【請求項６】
Ｙがメチルである、請求項１に記載の化合物。
【請求項７】
メチル基を保有する炭素が（Ｒ）配置にある、請求項１〜６のいずれか一項に記載の化合物。
【請求項８】
メチル基を保有する炭素が（Ｓ）配置にある、請求項１〜６のいずれか一項に記載の化合物。
【請求項９】
２−［４−（７−クロロキノリン−２−イルオキシ）フェノキシ］プロパン酸である、請求項１に記載の化合物。
【請求項１０】
（Ｒ）２−［４−（７−クロロキノリン−２−イルオキシ）フェノキシ］プロパン酸である、請求項１に記載の化合物。
【請求項１１】
薬学的に受容可能な賦形剤またはキャリアと組み合わせた、請求項１〜１０のいずれか一項に記載の化合物またはその薬学的に受容可能な塩を含む、組成物。
【請求項１２】
医学的治療における使用のための、請求項１〜１０のいずれか一項に記載の化合物。
【請求項１３】
哺乳動物における癌の治療のための医薬の製造のための、請求項１〜１０のいずれか一項に記載の化合物の使用。
【請求項１４】
哺乳動物における癌を処置する際に使用するための組成物であって、該組成物は、有効量の請求項１〜１０のいずれか一項に記載の化合物を含有する、組成物。
【手続補正書】
【提出日】平成17年6月27日(2005.6.27)
【手続補正１】
【補正対象書類名】特許請求の範囲
【補正対象項目名】全文
【補正方法】変更
【補正の内容】
【特許請求の範囲】
【請求項１】
治療的に有効な量のＲ−ＮＳＡＩＤまたは製薬学的に許容されうるその塩もしくはエステルと、
ＨＩＶ逆転写酵素阻害剤、ＨＩＶプロテアーゼ阻害剤、ＨＩＶインテグラーゼおよびＨＩＶ融合阻害剤からなる群から選択され、Ｒ−ＮＳＡＩＤのＳ−エナンチオマーまたは製薬学的に許容されうるその塩もしくはエステルを実質的に含有しない治療的に有効な量の抗−ＨＩＶ化合物と
を含む製薬組成物。
【請求項２】
上記抗−ＨＩＶ化合物が、ジドブジン、ラミブリン、スタブジン、ＤＭＰ−２６６、リトナビル、ネルフィナビル、アバカビル、インジナビル、１４１−Ｗ９４、デラビルジン、サキナビル、テノフォビルおよびＴ−２０からなる群から選択される、請求項１に記載の製薬組成物。
【請求項３】
上記Ｒ−ＮＳＡＩＤがアリールプロピオン酸または製薬学的に許容されうるその塩もしくはエステルである、請求項１または２に記載の製薬組成物。
【請求項４】
Ｒ−ＮＳＡＩＤがＲ−フルルビプロフェンである請求項１〜３のいずれかに記載の製薬組成物。
【請求項５】
上記Ｒ−フルルビプロフェンが単位用量として、約１００ｍｇ〜約８００ｍｇで投与される請求項４に記載の製薬組成物。
【請求項６】
Ｒ−ＮＳＡＩＤがＲ−エトドラクである請求項１または２に記載の製薬組成物。
【請求項７】
包装材料と包装材料内に含有される薬剤とを含み、薬剤が請求項１〜６のいずれかに記載の製薬組成物を含む製造物品。
【請求項８】
請求項７に記載の製造物品であって、上記薬剤がＨＩＶ感染症を治療する上で有用であることを示す通知によって上記包装材料が特徴付けられる製造物品。
【請求項９】
包装材料と包装材料内に含有される薬剤とを含み、薬剤が治療的に有効な量のＲ−フルルビプロフェンを含み、Ｓ−フルルビプロフェンを実質的に含有せず、包装材料が、薬剤がＨＩＶ感染症を治療する上で有用であることを示す通知によって特徴付けられる製造物品。
【請求項１０】
ビールス感染症を治療するための医薬品を製造する際のＲ−ＮＳＡＩＤまたは製薬学的に許容されうるその塩もしくはエステルの使用であって、上記医薬品がＲ−ＮＳＡＩＤのＳ−エナンチオマーを実質的に含有しない、使用。
【請求項１１】
Ｒ−ＮＳＡＩＤがアリールプロピオン酸または製薬学的に許容されうるその塩もしくはエステルである、請求項１０に記載の使用。
【請求項１２】
Ｒ−ＮＳＡＩＤが、Ｒ−フルルビプロフェン、Ｒ−ケトプロフェン、Ｒ−ナプロキセン、Ｒ−チアプロフェン酸、Ｒ−スプロフェン、Ｒ−カルプロフェン、Ｒ−ピルプロフェン、Ｒ−インドプロフェンおよびＲ−ベノキサプロフェンからなる群から選択される、請求項１０に記載の使用。
【請求項１３】
Ｒ−ＮＳＡＩＤがＲ−ケトロラクである、請求項１０に記載の使用。
【請求項１４】
Ｒ−ＮＳＡＩＤがＲ−エトドラクである、請求項１０に記載の使用。
【請求項１５】
Ｒ−ＮＳＡＩＤがＲ−フルルビプロフェンまたは製薬学的に許容されうるその塩もしくはエステルである、請求項１０に記載の使用。
【請求項１６】
上記医薬品において、Ｓ−フルルビプロフェンまたは製薬学的に許容されうるその塩もしくはエステルに対するＲ−フルルビプロフェンまたは製薬学的に許容されうるその塩もしくはエステルの比が重量で少なくとも９０：１０である、請求項１０に記載の使用。
【請求項１７】
上記医薬品において、Ｓ−フルルビプロフェンまたは製薬学的に許容されうるその塩もしくはエステルに対するＲ−フルルビプロフェンまたは製薬学的に許容されうるその塩もしくはエステルの比が重量で少なくとも９９：１である、請求項１０に記載の使用。
【請求項１８】
上記医薬品が、約１００ｍｇ〜８００ｍｇのＲ−フルルビプロフェンまたは製薬学的に許容されうるその塩もしくはエステルを含む請求項１５〜１７のいずれかに記載の使用。
【請求項１９】
１日あたり約１０ｍｇ約１０ｍｇ〜４０００ｍｇのＲ−フルルビプロフェンまたは製薬学的に許容されうるその塩もしくはエステルを、ＨＩＶ感染症を治療するために患者に投与する、請求項１５〜１７のいずれかに記載の使用。
【請求項２０】
上記医薬品が１つ以上の他の抗−ＨＩＶ化合物をさらに含む、請求項９〜１９のいずれかに記載の使用。
【請求項２１】
上記１つ以上の抗−ＨＩＶ化合物が、ジドブジン、ラミブリン、スタブジン、ＤＭＰ−２６６、リトナビル、ネルフィナビル、アバカビル、インジナビル、１４１−Ｗ９４、デラビルジン、サキナビル、テノフォビルおよびＴ−２０からなる群から選択される、請求項２０に記載の使用。
【請求項２２】
Ｒ−フルルビプロフェン、Ｒ−ケトプロフェン、Ｒ−ナプロキセン、Ｒ−チアプロフェン酸、Ｒ−スプロフェン、Ｒ−カルプロフェン、Ｒ−ピルプロフェン、Ｒ−インドプロフェンおよびＲ−ベノキサプロフェンからなる群から選択されるアリールプロピオン酸であるＲ−ＮＳＡＩＤを提供するステップと、
（１）プロピオン酸基の位置を変更する、（２）どちらかのフェニル基の（プロピオン酸基以外の）置換基の位置または種類を変更するもしくは（３）２つのフェニル基を接続する結合を変更する、または（１）、（２）および（３）の任意の組み合わせを実施することによって、Ｒ−ＮＳＡＩＤを改変してＲ−ＮＳＡＩＤ誘導体を提供するステップと、
ＨＩＶ増殖に対するＲ−ＮＳＡＩＤ誘導体の影響を判定するステップと
を含む、抗−ＨＩＶ化合物を同定する方法。
【請求項２３】
Ｒ−ＮＳＡＩＤがＲ−フルルビプロフェンである、請求項２２に記載の方法。
【手続補正書】
【提出日】平成17年8月12日(2005.8.12)
【手続補正１】
【補正対象書類名】特許請求の範囲
【補正対象項目名】全文
【補正方法】変更
【補正の内容】
【特許請求の範囲】
【請求項１】
別個の相を含む高い内相エマルジョン組成物であって、以下：
ポリマー、モノマーもしくはそれらの混合物である、成分Ａ；
ポリマーである成分Ｂを含む連続相；
適合化剤である成分Ｃであって、該適正化剤は、界面活性剤、ブロックコポリマー、ランダムコポリマーおよびグラフトコポリマーからなる群より選択される、成分Ｃ；
を含み、そして、
実質的に間隙を含まず；
ここで、該別個の相が、成分Ａ、成分Ｂおよび成分Ｃの総体積のうちの少なくとも約８０体積％を表し；そして、該連続相の体積画分は、成分Ａ、成分Ｂおよび成分Ｃの総体積のうちの少なくとも約２０体積％を表す、組成物。
【請求項２】
請求項１に記載の組成物であって、前記成分Ｃおよび成分Ａが互いに不混和性である、組成物。
【請求項３】
請求項１に記載の組成物であって、Ａがポリスチレンであり、Ｂがポリ２ビニルピリジンであり、そしてＣがブロックコポリマーである、組成物。
【請求項４】
前記Ｂ：Ｃの比が、１０：１と１：１０との間である、請求項１に記載の組成物。
【請求項５】
成分Ｃが界面活性剤である、請求項１に記載の組成物。
【請求項６】
成分Ａがスチレン、ビニルトルエン、αメチルスチレン、ジビニルベンゼンイソプレン、ブタジエン、メチルメタクリエート、アクリロニトリル、ビニルクロリド、ビニルアセテート、無水マレイン酸、および熱硬化性モノマーからなる群より選択されるモノマーである、請求項１に記載の組成物。
【請求項７】
請求項１に記載の組成物であって、ここで、成分Ａが、以下：ポリエチレン；ポリプロピレン；エチレンおよびプロピレンのコポリマー；エチレン、ポリスチレン、エチレンスチレンのコポリマー；スチレン、ポリブタジエン、ポリイソプレン、ポリ塩化ビニルのコポリマー、ビニルクロリドコポリマー、ポリアミド、ポリイミド、ポリカーボネート、ポリエステル、ポリアリーレート、アクリルポリマーおよびコポリマー、ポリエーテル、ポリエチレングリコール、ポリプロピレングリコール、ポリフェニレンオキシド、ポリフェニレンスルホン、ポリビニリジンクロリド、ポリビニリジンフルオリド、ゴム、部分的に重合された熱硬化性樹脂、シリコーンゴム、熱可塑性ポリオレフィンゴム、およびポリウレタン
からなる群より選択される、ポリマーである、組成物。
【請求項８】
成分Ａが、前記組成物の体積にして、少なくとも９０％を示す、請求項１に記載の組成物。
【請求項９】
Ａが、ポリ（２，６−ジメチル−ｐ−フェニレンオキシド）である、請求項１に記載の組成物。
【請求項１０】
成分Ａが、架橋剤、触媒または重合促進剤からなる群より選択される1以上の成分を含む、請求項１に記載の組成物。
【請求項１１】
ＡおよびＢが、熱可塑性物質である、請求項１に記載の組成物。
【請求項１２】
Ａ、ＢまたはＡおよびＢは、熱硬化性樹脂である、請求項１に記載の組成物。
【請求項１３】
成分Ａおよび成分Ｂは、熱可塑性オレフィンであり、かつ、成分Ｃは、オレフィンコポリマーである、請求項１に記載の組成物。
【請求項１４】
請求項１に記載の組成物であって、ここで、Ｂは、以下：ポリエチレン、ポリプロピレン、エチレンおよびプロピレンのコポリマー；スチレンとより高級なα−オレフィンとのコポリマー；ポリスチレン；エチレンスチレン；スチレンのコポリマー；ポリブタジエン；ポリイソプレン；ポリ塩化ビニル；塩化ビニルコポリマー；ポリアミド；ポリイミド；ポリカーボネート；ポリエステル；およびポリアリーレート；アクリルポリマーおよびコポリマー；ポリエーテル；ポリエチレングリコール、ポリプロピレングリコール、ポリプロピレンオキシド、ポリフェニレンオキシド；ポリフェニレンスルホン；ポリビニリジンクロリドおよびポリビニリジンフルオリド；ゴム；部分的に重合した熱硬化樹脂；シリコーンゴム；熱硬化性ポリオレフィンゴム；ポリウレタンならびに結合化ポリマーからなる群より選択される、組成物。
【請求項１５】
Ｂが、ポリチオフェン、ポリピロール、およびポリアニリンからなる群より選択される、請求項１に記載の組成物。
【請求項１６】
前記組成物の密度が、約１００ｍｇ／ｃｃよりも大きい、請求項１に記載の組成物。
【請求項１７】
Ｃが、Ａとよりも、Ｂに混和性である、請求項１に記載の組成物。
【請求項１８】
請求項１に記載の組成物を生成するためのプロセスであって、該プロセスは、以下：
（ａ）成分Ｂと成分Ｃとを混合する工程；
（ｂ）該混合物に成分Ａを供給しつつ、成分Ａが別個の相として維持されるように攪拌する工程；および
（ｃ）該組成物を冷却して、ガラス化または結晶化する工程；
を包含する、プロセス。
【請求項１９】
請求項１に記載の組成物を生成するプロセスであって、該プロセスは、以下：
（ａ）モノマーまたはモノマーの混合物中に成分Ｃを溶解することによって連続相を形成する工程であって、該モノマーまたはモノマーの混合物は、該連続相を形成するために重合可能である、工程；
（ｂ）成分部Ａを該連続相に混合して、別個の相を形成して、そして、該モノマーと組み合わせた成分Ｃを含む該連続相を維持する工程；
（ｃ）該相の中でモノマーを重合する工程；および
（ｄ）硬化および／または乾燥して、その結果生じる生成物を形成する工程；
を包含する、プロセス。
【請求項２０】
請求項１に記載の組成物を生成するためのプロセスであって、該プロセスは、以下：
（ａ）成分Ｂのための開始モノマーと適正化剤Ｃを混合して、連続相を生成する工程；
（ｂ）モノマーＡを、ＢおよびＣの混合物に供給して、モノマーＡを別個の相に維持する工程；
（ｃ）モノマーＡおよび／または成分Ｂのための開始モノマーのいずれかまたはその両方の重合を熱によって開始する工程；
（ｄ）モノマーＡおよび／または成分Ｂのための開始モノマーの一方または両方をするかまたは該モノマーの一方または両方のＴｇおよび／またはＴｍ未満に該混合物を冷却する工程；
を包含する、プロセス。
【請求項２１】
バリアとしてか、自動車産業における温度が上昇する際の構造的完全性を提供するためか、あるいは、電気伝導体またはイオン伝導体としての、請求項１〜１７のいずれかに記載の組成物の使用。
【手続補正書】
【提出日】平成17年6月23日(2005.6.23)
【手続補正１】
【補正対象書類名】特許請求の範囲
【補正対象項目名】全文
【補正方法】変更
【補正の内容】
【特許請求の範囲】
【請求項１】
比較的柔軟な弾性材料から形成された作用部分と、支持体へ前記作用部分を固定するための粘着表面を有する取付部分と、前記作用部分と前記取付部分との間に介在して前記作用部分と前記取付部分との両方に固定される比較的硬い材料から形成された中間層とを具備し、前記中間層は、融着によって前記作用部分に固定される弾力製品。
【請求項２】
前記中間層及び前記作用部分はシート又は帯形状である請求項１に記載の弾力製品。
【請求項３】
前記取付部分はシート又は帯形状である請求項２に記載の弾力製品。
【請求項４】
前記中間層が前記作用部分の圧縮及び伸長により引き起こされる前記作用部分内の動作の影響から前記取付部分の表面を保護するように、前記弾力製品は層形状である請求項１から３のいずれか一項に記載の弾力製品。
【請求項５】
前記作用部分は熱可塑性硬化ゴムである請求項１から４のいずれか一項に記載の弾力製品。
【請求項６】
前記中間層はポリプロピレンである請求項１から５のいずれか一項に記載の弾力製品。
【請求項７】
前記比較的柔軟な弾性材料は、ショア硬度Ａ５以上Ａ９０以下の範囲内の硬度を有している請求項１から６のいずれか一項に記載の弾力製品。
【請求項８】
前記比較的硬い材料は、ロックウェル硬度Ｒ８０以上Ｒ１５０以下の範囲内の硬度を有している請求項１から７のいずれか一項に記載の弾力製品。
【請求項９】
前記作用部分と協働し、前記作用部分より硬い覆い部分を有する請求項１から８のいずれか一項に記載の弾力製品。
【請求項１０】
前記覆い部分は、前記中間層から離間する前記作用部分の一部を処理して比較的硬い前記覆い部分へ変化させることによって、前記作用部分と一体に形成される請求項９に記載の弾力製品。
【請求項１１】
前記覆い部分及び前記作用部分は共に押出成形される請求項１０に記載の弾力製品。
【請求項１２】
前記作用部分は、比較的柔軟な前記作用部分と比較的硬い前記覆い部分との間において相対硬度が徐々に増加するように処理される請求項１０に記載の弾力製品。
【請求項１３】
前記覆い部分の硬度は、前記作用部分の処理された部分の全体にわたって実質的に一定である請求項１０に記載の弾力製品。
【請求項１４】
前記覆い部分は、前記作用部分とは別に形成され、融着又は溶接によって前記作用部分へ固定される請求項１に記載の弾力製品。
【請求項１５】
前記覆い部分は、ポリプロピレン、強固なＰＶＣ、又は、他の強固な熱可塑性物質から形成される請求項１４に記載の弾力製品。
【請求項１６】
前記覆い部分は、ロックウェル硬度Ｒ８０より硬い硬度を有している請求項１４又は１５に記載の弾力製品。
【請求項１７】
請求項１から１６のいずれか一項に記載の弾力製品を有する埃又は風雨シール部材。
【請求項１８】
乗物ドア又は乗物ドアフレームへ前記粘着表面により固定されるのに適した請求項１７に記載の埃又は風雨シール部材。
【請求項１９】
請求項１から１６のいずれか一項に記載の弾力製品を有する弾性取付部材。
【請求項２０】
前記作用部分の一方の表面を前記中間層の一方の表面に融着させる段階と、融着させる前記段階の前又は後において接着によって前記取付部分を前記中間層の反対側表面に取り付ける段階とを有する請求項１に記載の弾力製品を製造する方法。
【請求項２１】
前記取付部分への接着を促進するために前記中間層の前記反対側表面を処理する段階を有する請求項２０に記載の方法。
【請求項２２】
比較的硬い中間層の一方の表面に係合するように取付部分の粘着表面を運ぶ段階と、接着によって前記中間層へ前記取付部分を固定する段階と、前記取付部分及び前記中間層の構成体へ押圧力を提供する段階と、比較的柔軟な作用部分を形成することが意図された融解材料の通路へ前記取付部分及び前記中間層の前記構成体を供給する段階と、前記中間層の反対側表面へ前記作用部分を融着させる段階とを有する弾力製品を製造する方法。
【請求項２３】
接着を促進するために前記中間層の前記一方の表面を処理する段階を有する請求項２２に記載の方法。
【請求項２４】
前記一方の表面の処理は、接着を促進するために、コロナ放電処理、エッチング処理、青炎処理、又は、化学処理による処理を伴う請求項２３に記載の方法。
【請求項２５】
前記押圧力は、予め定められた期間、張力を作用させてリールに前記取付部分及び前記中間層の前記構成体を貯蔵することによってもたらされる請求項２２から２４のいずれか一項に記載の方法。
【請求項２６】
前記予め定められた期間は６時間より短い請求項２５に記載の方法。
【請求項２７】
前記作用部分を前記中間層へ融着させる前記段階は、前記作用部分を前記中間層へ溶接するために熱及び圧力の使用を伴う請求項２２から２６のいずれか一項に記載の方法。
【請求項２８】
前記熱は前記融解材料によって提供された潜熱である請求項２７に記載の方法。
【請求項２９】
前記作用部分の形状を固定するために前記取付部分及び前記中間層及び前記作用部分の構成体に冷却部署を通過させる段階を有する請求項２２から２８のいずれか一項に記載の方法。
【請求項３０】
前記中間層の前記一方の表面は接着剤の液化を避けるために融着段階中に冷却される請求項２２から２９のいずれか一項に記載の方法。
【請求項３１】
請求項２２から３０のいずれか一項に記載の方法によって製造された弾力製品。
【手続補正２】
【補正対象書類名】明細書
【補正対象項目名】０００５
【補正方法】変更
【補正の内容】
【０００５】
本発明による弾力製品は、比較的柔軟な弾性材料により形成された作用部分と、支持体へ作用部分を固定するための粘着表面を有する取付部分と、作用部分と取付部分との間に介在して作用部分と取付部分との両方に固定される比較的硬い材料から形成された中間層とを具備し、中間層は、融着によって作用部分に固定される。乗物ドアシールとして使用するのに適した製品例において、作用部分は、サントプレン・ゴム又は同様な柔軟な材料から形成され、中間層はポリプロピレン又は同様な硬い材料から形成される。
【手続補正３】
【補正対象書類名】明細書
【補正対象項目名】０００６
【補正方法】変更
【補正の内容】
【０００６】
中間層は、融着によって作用部分へ取り付けられ、取付部分は接着のような任意の適当な手段によって中間層へ取り付けられて良い。作用部分とは別に中間層を形成するために、選択的に、中間層は作用部分の表面を比較的硬い層へ変化させるように作用部分の表面を処理することにより形成されて良く、一方、作用部分の残り部を比較的柔軟状態のままとし、この柔軟状態は作用部分によって最初に有された柔軟状態であって良い。取付部分は、好ましくは、中間層から離間する接着表面上に適当な材料の剥しライナを有する両面接着帯又は層である。
【手続補正書】
【提出日】平成17年7月7日(2005.7.7)
【手続補正１】
【補正対象書類名】特許請求の範囲
【補正対象項目名】全文
【補正方法】変更
【補正の内容】
【特許請求の範囲】
【請求項１】
有効量の成分（Ａ）および（Ｂ）を含有する除草剤組合せであって、ここで、（Ａ）は、式（Ｉ）
【化１】
2004538329.tif 000001
［式中、
Ｒ1は、(Ｃ1−Ｃ8)−アルキル、（Ｃ3−Ｃ4）−アルケニル、（Ｃ3−Ｃ4）−アルキニ
ルまたは、ハロゲンおよび／または（Ｃ1−Ｃ2）−アルコキシから成る群より選択される基によりモノ−〜テトラ置換された（Ｃ1−Ｃ4）−アルキルであり、
Ｒ2はＩまたはＣＨ2ＮＨＳＯ2ＣＨ3であり、
Ｒ3はメチルまたはメトキシであり、そして、
ＺはＮまたはＣＨである]；
の化合物およびその塩の群から選択される１種またはそれ以上の除草剤を表し、
そして
（Ｂ）は、単子葉および／または双子葉の有害植物に対し、いくつかの単子葉植物の農作物において選択的に作用する、下記の化合物群：
（Ｂ１）フルカルバゾン、
（Ｂ２）ＢＡＹ  ＭＫＨ  ６５６１  （プロカルバゾン）、
（Ｂ３）フロラスラム、
（Ｂ４）ハロスルフロン、
（Ｂ５）トリトスルフロン、
（Ｂ６）ピコリナフェン、
（Ｂ７）シニドン−エチル、
（Ｂ８）メソトリオン、
（Ｂ９）メトスラム、
（Ｂ１０）クロピラリド、
（Ｂ１１）フルフェンアセト、
（Ｂ１２）フルメタスラム、
（Ｂ１３）フルポキサム、
（Ｂ１４）プロスルフォカルブ、
（Ｂ１５）フルルタモン、
（Ｂ１６）アクロニフェン、
（Ｂ１７）ヘキサジノン、
（Ｂ１８）アスラム、
（Ｂ１９）ジウロン、
（Ｂ２０）アメトリン、
（Ｂ２１）イソキサフルトル、
（Ｂ２２）アミカルバゾン、および
（Ｂ２３）トリフロキシスルフロン、
から選択される１種またはそれ以上の除草剤を表すが、ただしここで、（Ａ）Ｒ1＝（Ｃ1−Ｃ8）−アルキル、（Ｃ3−Ｃ4）−アルケニル、（Ｃ3−Ｃ4）−アルキニル、またはハロゲンおよび（Ｃ1−Ｃ2）−アルコキシから成る群より選択される基によりモノ−〜テトラ置換された（Ｃ1−Ｃ4）−アルキルであり、Ｒ2＝ＣＨ2ＮＨＳＯ2ＣＨ3であり、Ｒ3はメトキシであり、そしてＺはＣＨである式（Ｉ）の化合物およびその塩から成る群より選択される１種またはそれ以上の除草剤と、（Ｂ）メトスラム（Ｂ９）、フルポキサム（Ｂ１３）、プロスルフォカルブ（Ｂ１４）およびフルルタモン（Ｂ１５）の化合物群から選択される１種またはそれ以上の除草剤とを含有する除草剤組合せは除く。
【請求項２】
成分（Ａ）として、メソスルフロン−メチル、メソスルフロン−メチルナトリウム、イオジノスルフロン−メチルおよびイオジノスルフロン−メチルナトリウムから成る群より選択される１種またはそれ以上の化合物を含有する、請求項１に記載の除草剤組合せ。
【請求項３】
異なる型の農薬的に活性な化合物、農作物保護において慣習の補助製剤および添加剤から成る群より選択される、１種またはそれ以上の更なる成分を追加的に含有する、請求項１または２に記載の除草剤組合せ。
【請求項４】
追加的に、１種またはそれ以上の薬害軽減剤を含有する請求項１〜３のいずれかに記載の除草剤組合せ。
【請求項５】
請求項１〜４のいずれかで定義される除草剤組合せを、植物、植物の部分、植物の種子、または植物が成長する区域に施すことを含む、有害植物を防除する方法。
【請求項６】
作物において、有害植物を選択的に防除するための、請求項５に記載の方法。
【請求項７】
単子葉植物の作物において、有害植物を防除するための、請求項６に記載の方法。
【請求項８】
作物が遺伝的に改変されているか、または変異／選抜により得られた作物である、請求項６または７に記載の方法。
【請求項９】
有害植物を防除するための、請求項１〜４のいずれかで定義される除草剤組合せの使用。
【手続補正書】
【提出日】平成17年8月1日(2005.8.1)
【手続補正１】
【補正対象書類名】特許請求の範囲
【補正対象項目名】全文
【補正方法】変更
【補正の内容】
【特許請求の範囲】
【請求項１】
骨吸収を調節するための薬学的組成物であって、該組成物は：
ａ）ＨＥＭＡＥ８０のアゴニスト；または
ｂ）ＨＥＭＡＥ８０のアンタゴニスト、
を含有する、組成物。
【請求項２】
請求項１に記載の薬学的組成物であって、ＨＥＭＡＥ８０は、配列番号２または配列番号４のポリペプチド配列を含む、組成物。
【請求項３】
請求項１に記載の薬学的組成物であって、前記ＨＥＭＡＥ８０のアンタゴニストは、抗体またはその結合フラグメントである、組成物。
【請求項４】
請求項１に記載の薬学的組成物であって、前記抗体は、以下：
ａ）ポリクローナル抗体；または
ｂ）モノクローナル抗体、
である、組成物。
【請求項５】
骨吸収障害を処置するための薬学的組成物であって、ＨＥＭＡＥ８０のアンタゴニストを含有する、組成物。
【請求項６】
請求項５に記載の薬学的組成物であって、さらに、別の治療剤を含有する、組成物。
【請求項７】
請求項５に記載の薬学的組成物であって、前記アンタゴニストは、ＨＥＭＡＥ８０に特異的に結合し、骨の鉱物質密度の喪失を予防する抗体である、組成物。
【請求項８】
請求項５に記載の薬学的組成物であって、前記骨吸収障害は、以下：
ａ）骨粗鬆症であるか；
ｂ）大理石骨病であるか；
ｃ）ぺージェット病であるか；
ｄ）骨形成異常症であるか；
ｅ）造血幹／前駆細胞（ＨＳＰＣ）過形成の結果であるか；
ｆ）免疫障害の結果であるか；または
ｇ）癌の結果である、
組成物。
【請求項９】
骨沈着障害を処置するための薬学的組成物であって、ＨＥＭＡＥ８０のアゴニストを含有する、組成物。
【請求項１０】
請求項９に記載の薬学的組成物であって、前記アゴニストは、骨沈着を阻害する、組成物。
【請求項１１】
請求項９に記載の薬学的組成物であって、前記骨沈着障害は、以下：
ａ）骨格の骨の過剰な骨化であるか；
ｂ）軟骨の骨化であるか；または
ｃ）ファンブッヘム病である、
組成物。
【手続補正書】
【提出日】平成17年6月6日(2005.6.6)
【手続補正１】
【補正対象書類名】特許請求の範囲
【補正対象項目名】全文
【補正方法】変更
【補正の内容】
【特許請求の範囲】
【請求項１】
大環状ポリケチド又は大環状ポリケチドを含む混合物をバイオセンサー系に供することを特徴とする、大環状ポリケチドを特定するための方法。
【請求項２】
前記大環状ポリケチドがマクロライドであることを特徴とする、請求項１に記載の方法。
【請求項３】
前記バイオセンサー系が細胞レポーター−遺伝子アッセイ系であることを特徴とする、請求項１又は２に記載の方法。
【請求項４】
前記細胞レポーター−遺伝子アッセイ系が、その転写が大環状ポリケチドの作用として調節されるプロモーター領域の制御下にあるレポーター遺伝子を含むことを特徴とする、請求項３に記載の方法。
【請求項５】
使用する前記レポーター遺伝子が、クロラムフェニルコールアセチルトランスフェラーゼ、β−ガラクトシダーゼ、ルシフェラーゼ又はグリーン蛍光タンパク質（ＧＦＰ）をコードする遺伝子であることを特徴とする、請求項４に記載の方法。
【請求項６】
使用する前記レポーター遺伝子が、ルシフェラーゼをコードする遺伝子であることを特徴とする、請求項５に記載の方法。
【請求項７】
前記プロモーター領域が大腸菌（Ｅ．ｃｏｌｉ）ｍｐｈ（Ａ）遺伝子のプロモーター領域であること及び前記アッセイ系が大腸菌ＭｐｈＲ（Ａ）タンパク質をさらに含むことを特徴とする、請求項４から６のいずれかに記載の方法。
【請求項８】
前記ＭｐｈＲ（Ａ）タンパク質が、ｍｐｈＲ（Ａ）遺伝子を過剰発現することによって提供されることを特徴とする、請求項７に記載の方法。
【請求項９】
前記アッセイ系が、完全な大腸菌ｍｐｈ（Ａ）オペロン又はその部分をさらに含むことを特徴とする、請求項７又は８に記載の方法。
【請求項１０】
前記細胞が細菌であることを特徴とする、請求項３から９のいずれかに記載の方法。
【請求項１１】
前記細菌が大腸菌であることを特徴とする、請求項１０に記載の方法。
【請求項１２】
前記大腸菌が、ＤＳＭ１４３３４の下に寄託されている大腸菌ＳＭ１０１（ＥＢＺ５１２、ｐＥＢＺ５１１、ｐＥＢＺ５１４）であることを特徴とする、請求項１１に記載の方法。
【請求項１３】
前記大腸菌が、ｌｐｘＡ２遺伝子及び／又はｔｏｌＣ遺伝子内に突然変異を有する菌株であることを特徴とする、請求項１１に記載の方法。
【請求項１４】
その転写が、大環状ポリケチドの作用として調節されるプロモーター領域の制御下にあるレポーター遺伝子を含む宿主細胞。
【請求項１５】
前記大環状ポリケチドがマクロライドであることを特徴とする、請求項１４に記載の宿主細胞。
【請求項１６】
前記レポーター遺伝子が、クロラムフェニルコールアセチルトランスフェラーゼ、β−ガラクトシダーゼ、ルシフェラーゼ又はグリーン蛍光タンパク質（ＧＦＰ）をコードする遺伝子であることを特徴とする、請求項１４又は１５に記載の宿主細胞。
【請求項１７】
前記レポーター遺伝子がルシフェラーゼをコードする遺伝子であることを特徴とする、請求項１６に記載の宿主細胞。
【請求項１８】
前記プロモーター領域が大腸菌ｍｐｈ（Ａ）遺伝子のプロモーター領域であること及び前記宿主細胞が大腸菌ＭｐｈＲ（Ａ）タンパク質をさらに含むことを特徴とする、請求項１４から１７のいずれかに記載の宿主細胞。
【請求項１９】
前記ＭｐｈＲ（Ａ）タンパク質が、ｍｐｈＲ（Ａ）遺伝子を過剰発現することによって提供されることを特徴とする、請求項１８に記載の宿主細胞。
【請求項２０】
完全な大腸菌ｍｐｈ（Ａ）オペロン又はその部分をさらに含むことを特徴とする、請求項１８又は１９に記載の宿主細胞。
【請求項２１】
細菌細胞であることを特徴とする、請求項１４から２０のいずれかに記載の宿主細胞。
【請求項２２】
大腸菌であることを特徴とする、請求項２１に記載の宿主細胞。
【請求項２３】
ＤＳＭ１４３３４の下に寄託されている大腸菌ＳＭ１０１（ＥＢＺ５１２、ｐＥＢＺ５１１、ｐＥＢＺ５１４）であることを特徴とする、請求項２２に記載の宿主細胞。
【請求項２４】
前記大腸菌が、ｌｐｘＡ２遺伝子及び／又はｔｏｌＣ遺伝子内に突然変異を有する菌株であることを特徴とする、請求項２２に記載の宿主細胞。
【請求項２５】
大環状ポリケチドを特定するための、請求項１４から２４のいずれかに記載の宿主細胞の使用。
【請求項２６】
大環状ポリケチドの作用として調節されるプロモーター領域を有するレポーター遺伝子を含むＤＮＡ構築物。
【請求項２７】
前記大環状ポリケチドがマクロライドであることを特徴とする、請求項２６に記載のＤＮＡ構築物。
【請求項２８】
前記レポーター遺伝子が、クロラムフェニルコールアセチルトランスフェラーゼ、β−ガラクトシダーゼ、ルシフェラーゼ又はグリーン蛍光タンパク質（ＧＦＰ）をコードする遺伝子であることを特徴とする、請求項２６又は２７に記載のＤＮＡ構築物。
【請求項２９】
前記レポーター遺伝子がルシフェラーゼをコードする遺伝子であることを特徴とする、請求項２８に記載のＤＮＡ構築物。
【請求項３０】
前記プロモーター領域が大腸菌（Ｅ．ｃｏｌｉ）ｍｐｈ（Ａ）遺伝子のプロモーター領域であることを特徴とする、請求項２６から２９のいずれかに記載のＤＮＡ構築物。
【請求項３１】
環状ペプチドを特定するためのバイオセンサー系を開発するための、請求項１４から２４のいずれかに記載の宿主細胞又は請求項２６から３０のいずれかに記載のＤＮＡ構築物の使用。
【請求項３２】
請求項１から１３のいずれかで定義されるバイオセンサー系又は請求項１４から２４のいずれかに記載の宿主細胞を含むキット。
【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
患者に配置するための人工補綴物であって、この人工補綴物が、
長手方向に延通する通路を有してなる管状のステントと、
管状のステントの端部から延在してなる、所定の軸長を有するスリーブであって、長手方向に延通して、管状の排液ステントの通路に連通してなる内腔を有し、第１の方向の第１の圧力をスリーブに作用させるような流体に応答して、スリーブは第１の方向へ内腔を通る流体の通路を提供し、第２の方向の第２の圧力をスリーブに作用させるような流体に応答して、スリーブは前記軸長の相当部分に沿ってつぶれて内腔を実質的に閉じるような上記スリーブとを備え、
スリーブは抵抗力を増加させた部分を含んでいて、第２の圧力に応答して管状のステントの中に反転することに抵抗する、
ことを特徴とする人工補綴物。
【請求項２】
スリーブは、前記管状のステントの近位側の第１の部分と、前記管状のステントの遠位側の第２の部分とを備え、前記第２の部分は、前記第１の部分の厚みに比べて大きい厚みを備えていて、これが反転に対する前記抵抗力を増加させた部分を形成していることを特徴とする請求項１に記載の人工補綴物。
【請求項３】
スリーブの第２の部分は１又は複数のリングを備えていることを特徴とする請求項２に記載の人工補綴物。
【請求項４】
スリーブは、前記管状のステントの近位側の第１の部分と、前記管状のステントの遠位側の第２の部分とを備え、前記第２の部分は、前記第１の部分の材料の剛性に比べて高い剛性を備えていて、これが反転に対する前記抵抗力を増加させた部分を形成していることを特徴とする請求項１に記載の人工補綴物。
【請求項５】
スリーブは、前記管状のステントの近位側の第１の端部と、前記管状のステントの遠位側の第２の端部とを備え、前記第２の端部は、前記第１の端部の直径に比べて大きい直径を備えていることを特徴とする請求項１に記載の人工補綴物。
【請求項６】
前記スリーブは円錐形の形状に構成されていることを特徴とする請求項５に記載の人工補綴物。
【請求項７】
前記スリーブはベル形の形状に構成されていることを特徴とする請求項５に記載の人工補綴物。
【請求項８】
管状のステントの一部分はスリーブにかぶさって延びていて、スリーブを囲んでいることを特徴とする請求項１に記載の人工補綴物。
【請求項９】
管状のステントは、管状の排液ステントから構成されていることを特徴とする請求項１に記載の人工補綴物。
【請求項１０】
管状のステントは、患者の胆管系に配置されるサイズ及び形態であるような管状の排液ステントから構成されていて、前記スリーブは患者の腸管へと延在可能であって、前記内腔を通って前記腸管へと第１の方向に胆汁が流れることを特徴とする請求項１に記載の人工補綴物。
【請求項１１】
管状のステントは、食道用の抗逆流の人工補綴物を構成していることを特徴とする請求項１に記載の人工補綴物。
【請求項１２】
スリーブの一部分が管状のステントの外面に延在していて、ステントに固着されていることを特徴とする請求項１に記載の人工補綴物。
【請求項１３】
スリーブは耐胆汁性の高分子材料から構成されていることを特徴とする請求項１に記載の人工補綴物。
【請求項１４】
耐胆汁性の材料は発泡ポリテトラフルオロエチレンであることを特徴とする請求項１３に記載の人工補綴物。
【請求項１５】
スリーブはポリウレタンから構成されていることを特徴とする請求項１に記載の人工補綴物。
【請求項１６】
スリーブに第１の方向にて第１の圧力を作用させる流体が存在しないとき、スリーブが通常は閉じていることを特徴とする請求項１に記載の人工補綴物。
【請求項１７】
スリーブが延在している管状のステントの端部はピグテールの形態に構成されていることを特徴とする請求項１に記載の人工補綴物。
【請求項１８】
患者に配置するための食道用の抗逆流の人工補綴物であって、この人工補綴物が、
長手方向に延通する通路を有してなる管状のステントと、
管状のステントの端部から延在してなる、所定の軸長を有するスリーブであって、長手方向に延通して、管状の排液ステントの通路に連通してなる内腔を有し、第１の方向の第１の圧力をスリーブに作用させるような流体に応答して、スリーブは第１の方向へ内腔を通る流体の通路を提供し、第２の方向の第２の圧力をスリーブに作用させるような流体に応答して、スリーブは前記軸長の相当部分に沿ってつぶれて内腔を実質的に閉じるような上記スリーブとを備え、
スリーブは抵抗力を増加させた部分を含んでいて、第２の圧力に応答して管状のステントの中に反転することに抵抗し、
スリーブは、第２の方向にてスリーブに作用する第３の圧力に応答して、管状のステントの通路に通るように延びて、前記第３の圧力は第２の圧力に比べて相当に大きい圧力である、
ことを特徴とする人工補綴物。
【請求項１９】
スリーブは、前記管状のステントの近位側の第１の部分と、前記管状のステントの遠位側の第２の部分とを備え、前記第２の部分は、前記第１の部分の厚みに比べて大きい厚みを備えていて、これが反転に対する前記抵抗力を増加させた部分を形成していることを特徴とする請求項１８に記載の食道用の抗逆流の人工補綴物。
【請求項２０】
スリーブの第２の部分は１又は複数のリングを備えていることを特徴とする請求項１８に記載の食道用の抗逆流の人工補綴物。
【請求項２１】
スリーブは、前記管状のステントの近位側の第１の部分と、前記管状のステントの遠位側の第２の部分とを備え、前記第２の部分は、前記第１の部分の材料の剛性に比べて高い剛性を備えていて、これが反転に対する前記抵抗力を増加させた部分を形成していることを特徴とする請求項１８に記載の食道用の抗逆流の人工補綴物。
【請求項２２】
スリーブは、前記管状のステントの近位側の第１の端部と、前記管状のステントの遠位側の第２の端部とを備え、前記第２の端部は、前記第１の端部の直径に比べて大きい直径を備えていることを特徴とする請求項１８に記載の食道用の抗逆流の人工補綴物。
【請求項２３】
前記スリーブは円錐形の形状に構成されていることを特徴とする請求項２２に記載の食道用の抗逆流の人工補綴物。
【請求項２４】
前記スリーブはベル形の形状に構成されていることを特徴とする請求項２２に記載の食道用の抗逆流の人工補綴物。
【請求項２５】
管状のステントの一部分はスリーブにかぶさって延びていて、スリーブを囲んでいることを特徴とする請求項１８に記載の食道用の抗逆流の人工補綴物。
【請求項２６】
スリーブはポリウレタンから構成されていることを特徴とする請求項１８に記載の食道用の抗逆流の人工補綴物。
【請求項２７】
スリーブに第１の方向にて第１の圧力を作用させる流体が存在しないとき、スリーブが通常は閉じていることを特徴とする請求項１８に記載の食道用の抗逆流の人工補綴物。
【手続補正書】
【提出日】平成17年7月26日(2005.7.26)
【手続補正１】
【補正対象書類名】特許請求の範囲
【補正対象項目名】全文
【補正方法】変更
【補正の内容】
【特許請求の範囲】
【請求項１】
円柱、円盤、薄片、キューブまたは細い断片状を有する、複合食品香味料生成物および/またはテキスチャー生成物であって、該生成物が：
大豆、牛乳、ココナッツ、綿実、トウモロコシ、ひまわり、キャノーラ、ヤシ、ピーナッツ、獣脂、ラードおよびバターから成る群から選択された少なくとも一種の油成分および／または脂肪成分５−４０％（重量／重量）、
ゼラチン、卵白、卵白タンパク質、アルブミン、小麦タンパク質、乳漿タンパク質、カゼイン、大豆タンパク質、エンドウタンパク質、でんぷん、変性食物でんぷん、ゲル化ガム、ペクチン、アルギニン、コラーゲン、カラギーナン、寒天およびメチルセルロースおよび組合せてゲルを形成する成分の混合物から成る群から選択された少なくとも一種のゲル化剤３−２０％（重量／重量）、および
加水分解タンパク質、香辛料、調味料、酢、抽出物、フルーツジュース、野菜ジュース、果汁濃縮物、ココア、ココアバター、チョコレートリカー、チーズ、ヨーグルト、クリームチーズ、サワークリーム、バター、燻製、麦芽、グルタミン酸モノナトリウム、酵素変性チーズ、乳製品濃縮物、天然香味料、人工香味料および高濃度性甘味料から成る群から選択された少なくとも一種の香味料成分０．１−６０％（重量／重量）、
でんぷん、変性食物でんぷん、クラスタマメガム、イナゴマメガム、キサンタンガム、カラギーナン、アラビアガム、麦芽デキストリン、セルロースガム、トウモロコシシロップ固形物、乳漿タンパク質、牛乳タンパク質、カゼイン、大豆タンパク質、小麦タンパク質、食肉タンパク質、プラズマタンパク質、脂肪類、油類、デキストリン類、モノ-グリセリド、ジ-グリセリド、およびレクチンから成る群から選択された少なくとも一種のテキスチャー成分０．１−６０％（重量／重量）、および
水２０−６５（重量／重量）
を含有し、そして、
該食品香味料生成物および/またはテキスチャー生成物は、常温で自立する固体であり、および食品生成物を昇温する場合に液状化または軟化する、
複合食品香味料生成物および/またはテキスチャー生成物。
【請求項２】
前記少なくとも一種の油成分および／または脂肪成分は、複合食品香味料生成物および/またはテキスチャー生成物の重量に対して、１０−３０％の部分水素添加大豆油を含有する、請求項１記載の複合食品香味料生成物および/またはテキスチャー生成物。
【請求項３】
前記のゲル化剤、香味料および／またはテキスチャー成分、および油および／または脂肪成分を含有する固形分２０−８５％（重量／重量）、および水２０−６５％（重量／重量）を含み、ｐＨ３−８を有する、請求項１記載の複合食品香味料生成物および/またはテキスチャー生成物。
【請求項４】
ｐＨ３−６を有する、請求項３記載の複合食品香味料生成物および/またはテキスチャー生成物。
【請求項５】
任意に調理された食品の提供可能部分を提供する段階、
請求項１記載の複合食品香味料生成物および/またはテキスチャー生成物の提供可能部分を提供する段階、および
上記の提供可能な複合食品香味料生成物および/またはテキスチャー生成物部分と提供可能食品部分とを接触して風味をつけたおよび／またはテキスチャーをつけた食品化合物を形成する段階、
を含む提供するための風味および／または調整されたテキスチャーの食品を調製する方法。
【請求項６】
さらに前記風味およびテキスチャーをつけた食品の組合せを加熱して提供するための風味およびテキスチャーをつけた食品を得る段階を含む請求項５記載の方法。
【請求項７】
複合食品香味料生成物および/またはテキスチャー生成物の提供可能部分が非提供可能な自立食品生成物からまたは非食用自立物質とから分離された円盤状もしくはキューブ状である請求項５記載の方法。
【手続補正書】
【提出日】平成17年7月28日(2005.7.28)
【手続補正１】
【補正対象書類名】特許請求の範囲
【補正対象項目名】全文
【補正方法】変更
【補正の内容】
【特許請求の範囲】
【請求項１】
人間の生理学的情報及びコンテキスト情報のうち少なくとも１つを検知し、モニターし、報告する装置であって、
個人の１またはそれ以上の生理学的パラメータを示すデータの発生を容易にする生理学的センサーと、個人の１またはそれ以上のコンテキストパラメータを示すデータの発生を容易にするコンテキストセンサーとより成る群から選択される少なくとも２つのセンサーと、
センサーに結合され、(i)生理学的パラメータを示すデータの少なくとも一部及びコンテキストパラメータを示すデータの少なくとも一部のうちの少なくとも１つから導出されるデータ及び(ii)生理学的パラメータを示すデータ、コンテキストパラメータを示すデータ、導出データ及び分析状態データのうち少なくとも１つの少なくとも一部からの分析状態データのうち少なくとも１つを発生するように構成されたプロセッサと、
生理学的パラメータを示すデータ、コンテキストパラメータを示すデータ、導出データ及び分析状態データのうち少なくとも１つを読み出し自在に記憶するメモリーと、
生理学的パラメータを示すデータ、コンテキストパラメータを示すデータ、導出データ及び分析状態データのうち少なくとも１つをその個人に送信する手段とより成る、人間の生理学的情報及びコンテキスト情報のうち少なくとも１つを検知し、モニターし、報告する装置。